(57)【要約】【課題】本発明は、搬送物を止める際の操作が容易で、清掃も容易なストッパー、更には、単純な構成として、故障しずらくメンテナンスの必要がなく、ランニングコストが不要なストッパーを提供することを目的とする。【解決手段】回動軸３９と回動軸３９に固定された停止部材３０を備えた回動部材３と、回動部材３を回動自在に支持し、ストッパー１を固定する基台３００に固定される軸受部材２を備えて構成され、停止部材３０の一端には、搬送物と当接する当接部３７が設けられ、他端には回動部材３の回動を止める支持部３３が設けられ、停止部材３０の回動軸３９から支持部３３側の部分の重さが、回動軸３９から当接部３７側の部分の重さより重く形成されたストッパー１【選択図】図１
2010159136.tif 000002
【特許請求の範囲】
【請求項１】
回動軸と該回動軸に固定された停止部材を備えた回動部材と、前記回動部材を回動自在に支持し、ストッパーを固定する基台に固定される軸受部材を備えて構成され、前記停止部材の一端には、搬送物と当接する当接部が設けられ、他端には前記回動部材の回動を止める支持部が設けられ、前記停止部材の前記回動軸から前記支持部側の部分の重さが、前記回動軸から前記当接部側の部分の重さより重く形成されていることを特徴とするストッパー。
【請求項２】
前記軸受部材は、底片の両端から側片が立設され、該側片の上端部には、前記回動軸が設置される軸受凹部が設けられ、前記回動部材は、横片の両端から、先端部が前記当接部を構成する縦片が立設されると共に、前記横片には、前記縦片の立設方向と反対方向に前記支持部を構成する支持片が立設され、前記縦片間に、前記回動軸が固定され、前記軸受部材の軸受凹部に前記回動軸を設置して、前記回動部材を前記軸受部材に回動自在に設置したことを特徴とする請求項１に記載のストッパー。
【請求項３】
前記軸受部材の底片には、長孔を設けたことを特徴とする請求項２に記載のストッパー。
【請求項４】
コンベア上を移送される搬送物の停止、位置決めに用いられるストッパー機構であって、請求項１〜３のうちいずれか１項に記載の前記ストッパーを基台に設けて構成したことを特徴とするストッパー機構。
【請求項５】
前記ストッパーを所定の間隔を持って２個設けて構成したことを特徴とする請求項４に記載のストッパー機構。
【請求項６】
前記搬送物としての炊飯釜内の炊き上がった米に酢を散布するための食酢散布装置であって、前記基台たる筐体に請求項４又は５に記載のストッパー機構を設けたことを特徴とする食酢散布装置。
【請求項７】
炊飯を行なう炊飯システムであって、請求項４又は５に記載のストッパー機構を設けたことを特徴とする炊飯システム。
【請求項８】
請求項６に記載の食酢散布装置を備えたことを特徴とする請求項７に記載の炊飯システム。
【発明の詳細な説明】
【技術分野】
【０００１】
本発明は、コンベアにおいて搬送物の位置決めを行なう、動力を用いないストッパーに関し、特に炊飯システムに好適に用いられるコンベア用ストッパーに関する。
【背景技術】
【０００２】
従来から様々な搬送物の搬送にコンベアが用いられている。例えば、炊飯システムにおいては、搬送物である炊飯釜がコンベア上を移動し、その間に炊飯釜に米及び水が投入され、炊かれ、蒸らされ、ほぐされる等の一連の炊飯作業が行なわれている。このコンベアは、動力を用いて動かす駆動コンベアと、動力を用いずに、人力或いは搬送物の自重を用いて搬送物を移動させるコンベアに大別される。
【０００３】
駆動コンベア上の搬送物を停止させる場合には、コンベア自体を停止させる必要があるが、動力を用いないコンベアでは搬送物自体を停めればよい。
【０００４】
このようなコンベア上での搬送物の搬送において、搬送物を停止させ、搬送物或いは搬送物に収納された物に何等かの処理を施すことがある。例えば、炊飯システムにおいては、炊き込みご飯を作るために、炊飯前の米及び水が投入された炊飯釜に調味料や具材を投入する際や、酢飯を作るために炊飯後の炊き上がったお米に酢等の調味料を投入する際に、コンベア上で炊飯釜を停止させる必要がある。そして、この停止は、調味料や具材の確実且つ万遍ない投入のため、投入装置、投入口、噴霧口の真下で行なわれる必要がある。
【０００５】
そこで、コンベアの途中に搬送物を停止させ、位置決め出来る搬送物の停止機構が設けられているものもある。具体的には、センサーとストッパーで構成され、コンベア上の搬送物の有無をセンサーで検知し、センサーの検知によりスイッチの開閉を行なって、動力源を用いて棒状のストッパーをコンベア上に突出させて搬送物を停止させるものがある（例えば、特許文献１参照。）。
【０００６】
又、特に炊飯システムのコンベアの途中で炊飯釜を停止させるものとして、コンベア上に設けた停止杆に、コンベア上を移送されてきた炊飯釜が接触すると、停止杆が作動し、リミットスイッチにより制御装置が作動して、コンベアが停止すると共に、炊飯釜の両側に一対のエアーシリンダーが伸長して炊飯釜を挟持して炊飯釜の位置決めをする機構が開示されている（例えば、特許文献２参照。）。
【０００７】
その他、動力を使用しない停止機構として、コンベアの基台に固定され、複数の軸支されたブラケットとバネで構成されるアームの先端に設けた棒状体をアームの下端に設けたペダルを足で操作して、棒状体をコンベア上に突出させて搬送物を停止させる機構が採用されている。
【０００８】
【特許文献１】特許第２８７９０３６号公報
【特許文献２】特開２００３−４７５５８号公報
【発明の開示】
【発明が解決しようとする課題】
【０００９】
しかし、上記特許文献１又は２に開示されている従来の停止機構は、何れも電気等の動力を使用し、搬送物を停止させるストッパー以外にもセンサー等の電子部品その他の部材及び電源等の駆動源を必要とするので、装置が複雑となるという問題点、コストが嵩むとという問題点、故障し易くメンテナンスを頻繁に行なう必要があるいといった問題点、清掃作業が煩雑となるといった問題点があった。
【００１０】
又、上記動力を使用せず、アームを足で操作する従来技術においては、操作者が意識的に操作する必要があり、作業が煩雑になるという問題点や、ストッパー以外にも部材を必要とするので、装置が複雑となるという問題点、清掃作業が煩雑となるといった問題点があった。
【００１１】
そこで、本発明は、動力を使用することなく、ストッパー以外の他の部材を必要とせず、単純な構成として、故障しずらくメンテナンスの必要がなく、ランニングコストが不要なストッパーを提供することを目的とし、更に、搬送物を止める際の操作も容易で、清掃も容易なストッパーを提供することを目的とする。
【課題を解決するための手段】
【００１２】
上記課題を解決するための手段としての本発明は、動力を使用しないストッパーであって、回動軸と該回動軸に固定された停止部材を備えた回動部材と、前記回動部材を回動自在に支持し、ストッパーを固定する基台に固定される軸受部材を備えて構成され、前記停止部材の一端には、搬送物と当接する当接部が設けられ、他端には前記回動部材の回動を止める支持部が設けられ、前記停止部材の前記回動軸から前記支持部側の部分の重さが、前記回動軸から前記当接部側の部分の重さより重く形成されていることを特徴とするストッパーである。
【００１３】
又、上記ストッパーにおいて、前記軸受部材は、底片の両端から側片が立設され、該側片の上端部には、前記回動軸が設置される軸受凹部が設けられ、前記回動部材は、横片の両端から、先端部が前記当接部を構成する縦片が立設されると共に、前記横片には、前記縦片の立設方向と反対方向に前記支持部を構成する支持片が立設され、前記縦片間に、前記回動軸が固定され、前記軸受部材の軸受凹部に前記回動軸を設置して、前記回動部材を前記軸受部材に回動自在に設置したことを特徴とするストッパーである。
【００１４】
又、上記ストッパーにおいて、前記軸受部材の底片には、長孔を設けたことを特徴とするストッパーである。
【００１５】
又、コンベア上を移送される搬送物の停止、位置決めに用いられるストッパー機構であって、上記いずれかのストッパーを基台に設けて構成したことを特徴とするストッパー機構である。
【００１６】
又、上記ストッパー機構において、前記ストッパーを所定の間隔を持って２個設けて構成したことを特徴とするストッパー機構である。
【００１７】
又、前記搬送物としての炊飯釜内の炊き上がった米に酢を散布するための食酢散布装置であって、前記基台たる筐体に上記ストッパー機構を設けたことを特徴とする食酢散布装置である。
【００１８】
又、炊飯を行なう炊飯システムであって、上記ストッパー機構を設けたことを特徴とする炊飯システムである。
【００１９】
上記炊飯システムにおいて、上記食酢散布装置を備えたことを特徴とする炊飯システムである。
【発明の効果】
【００２０】
以上のような本発明によれば、動力を使用することなく、ストッパー以外の他の部材を必要とせず、単純な構成として、故障しずらくメンテナンスの必要がなく、ランニングコストを不要とすることが出来た。又、搬送物を止める際の操作も容易で、清掃も容易とすることが出来た。
【発明を実施するための最良の形態】
【００２１】
以下本発明の実施の形態を図に従って説明する。本発明のストッパー１は、コンベアにおいて移送される搬送物の停止及び位置決めを行なう、動力を用いないストッパーであり、図１〜図３によく示すように、軸受部材２と、回動軸３９と回動軸３９に固定された停止部材３０を備えて構成される回動部材３を備えて構成されている。軸受部材２、回動軸３９、停止部材３０の材質は特に限定されないが、ステンレスを用いることが好ましい。
【００２２】
尚、本発明のストッパー１が使用されるコンベアは、駆動コンベアでも、動力を用いないコンベアでもよいが、動力を用いないコンベアに用いることで、後述する炊飯システムや食酢散布装置を単純な構成として、搬送物を止める際の操作も容易で、清掃も容易、更には故障しずらくメンテナンスの必要がなく、ランニングコストを低廉化させることが出来る。動力を用いないコンベアとしては、特に限定されないが、グラビティコンベアであるホイルコンベア、ローラコンベア、ケースラックコンベア、フレームコンベア、ボールコンベア等を用いることが出来る。
【００２３】
軸受部材２は、回動部材３を回動自在に支持する部材であり、ストッパー１を固定する基台３００に固定される。軸受部材２は、長尺状の四角形平板の両端部を同方向に略直角に曲折し、略コの字型に形成し、長方形状の底片２１の両端から底片２１と略垂直に側片２２，２２が上方に立設されている。底片２１には、底片２１の短手方向に長い長孔２１０が所定の間隔をもって互いに平行に２個設けられている。側片２２の上端部には、側片２２の上端から底片２１方向に凹む、停止部材３０の回動軸３９が上方から挿入して設置される軸受凹部２２０が設けられている。長孔２１０は、後述するように、軸受部材２の固定に用いるものであり、１個のみ設けてもよいが、軸受部材２の安定的な固定のため、２個以上設けることが好ましい。
【００２４】
回動部材３は、回動軸３９と回動軸３９に固定された停止部材３０を備えて構成されている。回動軸３９は、軸受部材２の側片２２，２２間より若干長い断面円形の棒状の軸である。停止部材３０は、長尺状の四角形平板の両端部を同方向に略直角に曲折し、略コの字型に形成し、長方形状の横片３１の両端から、横片３１と略垂直に縦片３２，３２が立設され、横片３１には、縦片３２の立設方向と反対方向に２個の支持片３３，３３が所定の間隔をもって立設されている。即ち、横片３１の一面から縦片３２が立設され、反対面から支持片３３が立設され、縦片３２と支持片３３は、側面視一直線状に位置している。支持片３３は、台形状に形成され、支持片３３の底辺が後述する基台３００と当接するが、台形以外の形状としてもよい。縦片３２の先端部は搬送物の側底部と当接して搬送物を停止させる当接部３７を構成する。
【００２５】
横片３１の縦片３２，３２間の長さは、軸受部材２の側片２２，２２間の距離より大きく形成し、回動軸３９は、縦片３２，３２間に、回動軸３９の両端を縦片３２，３２の対向する内側面に溶接等により固定して設けている。更に、回動軸３９は、回動軸３９を回動自在に支持した場合に、停止部材３０が回動軸３９を中心として支持片３３側に傾く位置に固定している。言い換えれば、停止部材３０は、回動軸３９から支持片３３側の構成部分の重さが、回動軸３９から当接部３７側の構成部分の重さより重く形成されている。
【００２６】
このようにして、停止部材３０の一端には、搬送物と当接する当接部３７が設けられ、他端には回動部材３の回動を止める支持部としての支持片３３が設けられ、停止部材３０の回動軸３９から支持部側の部分の重さが、回動軸３９から当接部３７側の部分の重さより重く形成されている。
【００２７】
当接部３７と支持片３３には、搬送物、基台３００、及び停止部材３０の破損を防止すると共に、当接部３７や支持片３３が搬送物、基台３００、及び停止部材３０と接触した際の騒音を抑制するため、合成樹脂等で形成された保護部材４３，４４を設けることが好ましい。保護部材４３，４４は、保護部材４３，４４及び当接部３７と支持片３３に設けた図示しないネジ孔にネジ４６を螺入して固定すればよい。
【００２８】
ストッパー１の設置は、図６によく示すように、搬送物を載置し移動させるコンベア８０により形成される搬送路方向、即ち搬送物が移動する方向と軸受部材２の底片２１を直交させて、ストッパー１を設置する基台３００に、軸受部材２の底片２１を固定して行なう。従って、搬送物が移動する方向と回動軸３９は直交することとなる。その固定方法は溶接を用いる等特に限定されないが、基台３００上にスタットボルト４１を設置し、長孔２１０にスタットボルト４１を挿入し、ナット４２で締結して固定することが好ましい。このような固定により、軸受部材２の固定位置を長孔２１０の長手方向、言い換えれば搬送路方向の前後に調節可能となり、搬送物の大きさに容易に適合させることが出来るからである。
【００２９】
そして、ストッパー１は、回動部材３の縦片３２を軸受部材２の側片２２の外側に位置させると共に、回動軸３９を軸受部材２の軸受凹部２２０に設置して、回動部材３を軸受部材２に回動自在に設置している。
【００３０】
このように設置されたストッパー１は、停止部材３０は、回動軸３９から支持片３３側の構成部分の重さが、回動軸３９から当接部３７側の構成部分の重さより重く形成されているので、回動部材３に応力が加わらない平時には、図１に示すように、支持片３３が回動軸３９より下方に位置すると共に、当接部３７が回動軸３９より上方に位置する。即ち、回動部材３は支持片３３側が下方に傾き、支持片３３が基台３００に当接して、回動部材３の回動が止められていると共に、支持片３３が回動軸３９と共に回動部材３を支持している。
【００３１】
軸受部材２の高さ、軸受凹部２２０の深さ、停止部材３０への回動軸３９の固定位置は、回動部材３に応力が加わらない平時に、停止部材３０先端の当接部３７がコンベア８０の上方に突出し、コンベア８０上の搬送物の側底部又は側部と当接できるように形成する。
【００３２】
本発明のストッパー機構１０は、ストッパー１を基台３００に１個のみ設けて構成してもよいが、図４に示すように、所定の間隔を持って２個設けて構成することが好ましい。ストッパー１を１個のみ設けて構成した場合には、搬送物の進行方向前側又は後側の内一方の側底部とのみ当接部３７が当接し、搬送物の進行方向の後方又は前方の内、一方の方向の移動のみを規制することが可能である。搬送路が進行方向に僅かに傾き、搬送物が外部からの応力を受けなければ進行方向後方には進まず、且つ搬送物を一端停止させた場合には自重により搬送物が進行方向前方に移動することがない場合には、搬送物の進行方向前側の側底部に当接部３７が当接するようにストッパー１を設置することで、搬送物を停止、位置決めさせることが出来る。
【００３３】
しかし、搬送路が水平である等、設置具合によっては、１個のストッパー１で構成したストッパー機構では、搬送物を完全に停止させることが出来ない場合がある。一方、２個のストッパー１，１で構成したストッパー機構１０では、搬送物の進行方向前側及び後側の両側底部と当接部３７，３７が夫々当接し、搬送物の進行方向後方及び前方方向の移動を規制することが可能であり、搬送物の確実な位置決めが可能となる。
【００３４】
ストッパー１を設置する基台３００は、図６に示すように、ホイルコンベアが設置される炊飯システムの筐体８や、図１４に示すように、ローラコンベアのローラー下方に設けられた支持枠等で構成することが出来る。
【００３５】
基台３００たる筐体８の上面が平面状であれば、図１に示すように、筐体８上面にスタットボルト４１を設置し、軸受部材２の底片２１の長孔２１０にスタットボルト４１を挿入し、ナット４２で締結して基台３００に軸受部材２を直接固定し、図１１に示すように、筐体８上面にシンク６０が形成されている場合には、シンク６０上に２本の支持梁９１を架設し、具体的には支持梁９１の両端をシンク６０の前後にビス９２等で固定して設置し、支持梁９１に設けたスタットボルトを、長孔２１０に挿入して、シンク６０上に設置することも出来る。尚、支持梁９１の形状は特に限定されないが、平板状の長板を使用する場合、支持梁９１のシンク６０に対応する部分の側部を曲折して、縦断面をコの字型形状として強度を増すことが好ましい。
【００３６】
又、ストッパー１は上述のような形状に限定されることなく、例えば、停止部材を、図７に示すように、１個の平板状に形成し、回動部材５を、両端に板状等の係止体３９１を設けた回動軸３９の略中央に、１個の平板状の停止部材５０を固定して構成してもよい。停止部材５０は上述の停止部材３の縦片３２と支持片３３を接続した形状であり、停止部材５０の一方の先端部は搬送物の側底部と当接して搬送物を停止させる当接部５７を構成し、他方の先端部は、回動軸３９と共に回動部材５を支持する支持部５３を構成している。停止部材５０は、回動軸３９から支持部５３側の構成部分の重さが、回動軸３９から当接部５７側の構成部分の重さより重く形成されている。回動軸３９は停止部材５０を貫通させてもよく、停止部材３の側端部に溶接等で固定してもよい。回動軸３９を、係止体３９１を軸受部材２の側片２２の外側に位置させ、係止体３９１を側片２２に係止させて軸受凹部２２０に設置して、回動部材３を軸受部材２に回動自在に設置している。
【００３７】
又、回動軸３９を挟んで、支持部側の構成部分の重さを当接部３７側の構成部分の重さより重く形成するために、停止部材３０に横片３１を設けるのではなく、支持部側の部材を延長させたり、当接部３７側の構成部分に比べて太く或いは厚く形成したり、錘を固定したりする等の構成でも達成することが出来る。
【００３８】
又、回動部材３を、図８に示すように、横片３１の縦片３２，３２間の長さを、軸受部材２の側片２２，２２間の距離より小さく形成し、回動軸３９は、縦片３２，３２を貫通させて溶接等により固定して設けてもよい。尚、回動軸３９の両端に、板状等の係止体３９１を設けてもよい。
【００３９】
又、図２或いは図８に示すような停止部材３０と図７に示す停止部材を組み合わせ、１本の回動軸３９に３個以上の支持部（支持片）、３個以上の当接部を設けることとしてもよい。
【００４０】
又、図９に示すように、回動部材３に、支持片３３を設けないこととしてもよい。この場合、回動部材３の横片３１が軸受部材２の側片２２に当接して、回動部材３の回動が止められる。
【００４１】
又、図１０に示すように、停止部材５０は、長尺状の平板の両端部を同方向に略直角に曲折し、側面視及び平面視略コの字型に形成し、長方形状の横片５１の両端から、横片５１と略垂直に、且つ斜め上方に向かって側縦片５５，５５が立設され、回動軸３９の両端が側縦片５５，５５の対向する内側面に溶接等により固定して設けられている。側縦片５５は上述の停止部材３の縦片３２と支持片３３を接続した形状であり、停止部材５０の一方の先端部は搬送物の側底部と当接して搬送物を停止させる当接部５７を構成し、他方の先端部は、回動軸３９と共に回動部材５５を支持する支持部５３を構成している。停止部材５０は、回動軸３９から支持部５３側の構成部分の重さが、回動軸３９から当接部５７側の構成部分の重さより重く形成されている。
【００４２】
又、図示はしないが、図１０に示す構成のうち、停止部材５０の横板５１を除いて構成し、具体的には、停止部材を２個の平板体を用いて構成し、回動部材を、回動軸の両端に、夫々平板状の停止部材を溶接等により固定して構成してもよい。勿論、停止部材は回動軸から支持部側の構成部分の重さが、回動軸から当接部側の構成部分の重さより重く形成されている。
【００４３】
又、図示はしないが、軸受部材を一体形成するのではなく分割し、１対のＬ字型のブラケットで構成してもよく、軸受凹部の形状も、回動軸３９を回動自在に支持出来れば特に限定されず、例えば側片２２の側辺から水平方向にむけて凹部を設けると共に、その先端から下方に向けてＬ字状に延設する形状としてもよく、回動軸を挿入可能な孔の形状としてもよい。
【００４４】
尚、ストッパー１は上記の回動部材３，５５、停止部材３０，５０、軸受部材２の形状を適宜組合わせて形成することが出来る。
【００４５】
このようなストッパー１は、コンベア８０上を移送される搬送物の停止、位置決めに用いられるが、具体例としては、図１４に示すような炊飯システム９００、図１３に示すような炊飯システムに組み込まれ、当該システムの一部を構成する食酢散布装置８００等において、搬送物である炊飯釜７のコンベア８０上での停止及び位置決めに用いることが出来る。
【００４６】
図４〜６は、食酢散布装置８００の一部構成図である。図４〜６等に示すように、２個のストッパー１，１は、炊飯釜７が移動する方向、図４では左から右方向、図５では奥から手前方向に炊飯釜７の長さと同じ間隔をもって設置され、１対のストッパー１，１でストッパー機構１０を構成している。
【００４７】
基台たる筐体８の上面に動力を用いないコンベア８０である双列型のホイルコンベアが設置され、２本のホイル間にストッパー１が設置されている。ストッパー１は、回動部材３の当接部３７が進行方向前方側、支持片３３が進行方向後方側に位置するように設置されている。このように設置されたストッパー１は、回動部材３に応力が加わらない平時には、回動部材３の縦片３２は、進行方向に向かって斜め上方に向いて停止している。
【００４８】
図１２に示すように、作業者が押す等して、炊飯釜７がコンベア８０上を移動してきて、進行方向手前側に設置されたストッパー１の当接部３７に接触しても押し続けると、回動部材３が回動軸３９を中心に回動し、進行方向に向かって斜め上方に向いていた停止部材３０の縦片３２が水平になり、その上を炊飯釜７が通過する（図１２（ａ））。
【００４９】
更に炊飯釜７を押し続けて、炊飯釜７の進行方向前側の側底部が進行方向前方側に設置されたストッパー１の当接部３７に接触する位置で炊飯釜７を停止させる。このとき、１対のストッパー１，１は、炊飯釜７の前後方向の長さと同じ間隔で設置されているので、炊飯釜７の進行方向前側の側底部が進行方向前方側に設置されたストッパー１の当接部３７に当接すると共に、進行方向手前側に設置されたストッパー１の停止部材３０の縦片３２が、水平から進行方向に向かって斜め上方に向いているもとの状態に戻り、炊飯釜７の進行方向後側の側底部が進行方向後方側に設置されたストッパー１の当接部３７に当接する（図１２（ｂ））。
【００５０】
回動部材３は、回動軸３９から当接部３７側より、回動軸３９から支持片３３側が重く構成されているので、一旦停止した炊飯釜７が揺れようとする力では、進行方向前方側に設置されたストッパー１の回動部材３が回動することなく、炊飯釜７が進行方向前方に移動してしまうことがなく、又、進行方向手前側に設置されたストッパー１も、支持片３３が基台たる筐体８の上面に当接し、それ以上支持片３３が下方に向かう回動は出来ないので、炊飯釜７が進行方向後方に移動してしまうことがない。このようにして、炊飯釜７は、１対のストッパー１，１で前後を挟まれ、１対のストッパー１，１で構成されるストッパー機構１０により停止が維持され、位置決めされる。図４及び５は炊飯釜７がストッパー機構１０により停止が維持され、位置決めされた状態の図である。
【００５１】
ストッパー機構１０により停止が維持され、位置決めされている炊飯釜７を、進行方向に押すことにより、進行方向前方側に設置されたストッパー１回動部材３が回動軸３９を中心に回動し、進行方向に向かって斜め上方に向いていた停止部材３０の縦片３２が水平になり、炊飯釜７の停止状態が解除され、その上を炊飯釜７が通過する（図１２（ｃ））。
【００５２】
食酢散布装置８００は、図１３に示すように、筐体８内に設置された、図示しないポンプ、循環タンク８１、筐体８の上面に設置されたコンベア８０及び１対のストッパー１，１で構成されるストッパー機構１０が設置され、筐体８の背面には支持壁８２が立設され、支持壁８２の上端から前面方向に屋根部８３が延設されている。支持壁８２及び屋根部８３には制御盤を内蔵した操作パネル８４が固定され、ストッパー１，１で位置決めされる炊飯釜７の真上に酢を散布する散布ノズル８５が、下面が開口するノズルカバー８６に固定されている。ノズルカバー８６は、支持壁８２に回動自在に支持されていると共に、屋根部８３から伸びるワイヤ８７によって吊るされている。ノズルカバー８６の開口の周縁から下方には、合成樹脂のシート等で構成された可撓性を有し、酢の飛散を防止する散布カバー８６０が設けられている。ノズルカバー８６は、ノズルカバー８６の上面に設けられたハンドル８５１を上下させて回動させて上方に移動させることが出来る。又、タンク８８がホース８８１により循環タンク８１と接続され、タンク８８内の酢は循環タンクに送られ、更に、循環タンクは図示しない送酢管により散布ノズル８５に接続され、操作パネル８４の操作により、前記ポンプを作動させて、循環タンク８１内の酢を散布ノズル８５に送り、散布ノズル８５から炊飯釜７内の炊き上がった米に散布する。支持壁８２には、炊飯釜７をガイドするホイルコンベア、ローラコンベア、ケースラックコンベア、フレームコンベア、ボールコンベア等で構成されるガイドコンベア８０１を設置することが好ましい。
【００５３】
炊飯システム９００は、図１４に示すように、洗米及び送米をする洗米送米機９０１、洗米送米機９０１から送られた洗米工程を終えた米を浸漬し、炊飯釜７内に供給する浸漬充填装置９０２、炊飯釜７連続的に炊飯する連続炊飯機９０３、蒸らし工程を終えた炊飯釜７を反転し、炊飯釜７内部の炊き上がった米をほぐし機９０７のホッパー９０６に投入し、炊き上がった米をほぐす反転ほぐし機９０５、ほぐし終えた米を軽量する米飯計量器９０８、これらを接続するコンベア９０９，９１０等を備えて構成されている。コンベア９０９，９１０として、ローラコンベアが使用されている。勿論、炊飯システム９００は、必要に応じてその他公知の機器を加えたり、上記の機器の内の一部を設けない構成とすることも出来る。
【００５４】
連続炊飯機９０３から反転ほぐし機９０５の間のコンベア９１０は、蒸らし工程を行う為のいわゆるむらしコンベアであり、ローラコンベアであるコンベア９１０の下部に基台３００となる平板がコンベア９０１の側枠に固定されて設置され、基台３００上に１対のストッパー１，１が設置されて、ストッパー機構１０を構成している。
【００５５】
尚、このような炊飯システム９００の、連続炊飯機９０３と反転ほぐし機９０５の間の蒸らし工程を行う部分に上記のような、１対のストッパー１，１が設置されて、ストッパー機構１０を有する食酢散布装置８００を設置することも出来る。又、むらしコンベアであるコンベア９１０のみを動力を用いないコンベアとし、他のコンベア部分は駆動コンベアを用いてもよい。
【図面の簡単な説明】
【００５６】
【図１】本発明ストッパー一実施例側面図
【図２】本発明ストッパー一実施例正面図
【図３】本発明ストッパー一実施例上面図
【図４】本発明食酢散布装置一実施例部分正面図
【図５】本発明食酢散布装置一実施例部分側面図
【図６】本発明食酢散布装置一実施例部分斜視図
【図７】本発明ストッパー他実施例上面図
【図８】本発明ストッパー他実施例正面図
【図９】本発明ストッパー他実施例側面図
【図１０】本発明ストッパー他実施例側面図
【図１１】本発明食酢散布装置他実施例部分斜視図
【図１２】本発明ストッパー機構の作動工程図
【図１３】本発明食酢散布装置他実施例斜視図
【図１４】本発明炊飯システム一実施例斜視図
【符号の説明】
【００５７】
１      ストッパー
１０    ストッパー機構
２      軸受部材
２１    底片
２１０  長孔
２２    側片
２２０  軸受凹部
３      回動部材
３０    停止部材
３００  基台
３１    横片
３２    縦片
３３    支持片
３７    当接部
３９    回動軸
５      回動部材
５０    停止部材
６０    シンク
７      炊飯釜
８      筐体
８０    コンベア
８００  食酢散布装置
９００  炊飯システム
９１    支持梁
【図１】
2010159136.tif 000003
【図２】
2010159136.tif 000004
【図３】
2010159136.tif 000005
【図４】
2010159136.tif 000006
【図５】
2010159136.tif 000007
【図６】
2010159136.tif 000008
【図７】
2010159136.tif 000009
【図８】
2010159136.tif 000010
【図９】
2010159136.tif 000011
【図１０】
2010159136.tif 000012
【図１１】
2010159136.tif 000013
【図１２】
2010159136.tif 000014
【図１３】
2010159136.tif 000015
【図１４】
2010159136.tif 000016